(57)【要約】【課題】表示図柄の歪みを無くして図柄の視認性を良くするとともに図柄表示体の寿命を長くした回胴表示装置を提供する。【解決手段】本発明による回胴表示装置は、駆動輪１１と従動輪２１とに無端帯状の図柄表示体２を巻き掛けて駆動輪１１を駆動させることにより図柄表示体２を回転させる回胴表示装置において、前記図柄表示体２の回転による移動をその表示側に対して内側から案内するガイド部材１２０を備え、このガイド部材１２０が図柄表示体２に対して滑性を有する材料で形成されたものとした。【選択図】        図２
2004173794.tif 000002
【特許請求の範囲】
【請求項１】
駆動輪と従動輪とに無端帯状の図柄表示体を巻き掛けて駆動輪を駆動させることにより図柄表示体を回転させる回胴表示装置において、前記図柄表示体の回転による移動をその表示側に対して内側から案内するガイド部材を備え、このガイド部材が図柄表示体に対して滑性を有する材料で形成されたことを特徴とする回胴表示装置。
【請求項２】
ガイド部材が図柄表示体の内側面における幅方向両端側に対応して設けられたことを特徴とする請求項１に記載の回胴表示装置。
【請求項３】
駆動輪と従動輪とに無端帯状の図柄表示体を巻き掛けて駆動輪を駆動させることにより図柄表示体を回転させる回胴表示装置において、ガイド部材が図柄表示体の内側面における幅方向両端側に対応して設けられたことを特徴とする回胴表示装置。
【請求項４】
図柄表示体の内側面における幅方向両端側にはその回転方向に沿って複数設けられた凹部又は凸部による図柄表示体側係合部を、駆動輪にはその周方向に沿って複数設けられ上記図柄表示体側係合部に係合して駆動力を図柄表示体に伝達する駆動輪側係合部を備え、ガイド部材が図柄表示体側係合部に対応して設けられたことを特徴とする請求項２又は請求項３に記載の回胴表示装置。
【請求項５】
ガイド部材で図柄表示体を内側面から表示側に向けて湾曲させて案内したことを特徴とする請求項１ないし請求項４のいずれかに記載の回胴表示装置。
【請求項６】
ガイド部材を構成する滑性を有する材料は超高分子量ポリエチレンを含むことを特徴とする請求項１に記載の回胴表示装置。
【発明の詳細な説明】
【０００１】
【発明の属する技術分野】
本発明はスロットマシンやパチンコ機などの遊技機に用いられる回胴表示装置に関する。
【０００２】
【従来の技術】
従来、駆動輪と従動輪とに無端帯状の図柄表示体を巻き掛け、駆動輪をステップモータで駆動して図柄表示体を回転させるベルトタイプの回胴表示装置においては、この回胴表示装置の前方に図柄表示体の図柄を視認可能とするガラス等の透視性パネルが配置され、このパネルを介して遊技者は図柄を視認できる。この図柄を見やすくするため、図柄表示体を内側面から前側即ち透視性パネル側に向けて湾曲させるガイドを設けたものが知られている（例えば、特許文献１参照）。
【０００３】
【特許文献１】
実開平６−６４６９１号公報
【０００４】
【発明が解決しようとする課題】
しかしながら、特許文献１では、ローラガイドの場合は、表示される図柄に歪みが生じ、遊技者にとって視認性が悪くなるという問題があった。また、アール（Ｒ）のついたガイドを用いた場合は、図柄の歪みの問題は解決するものの図柄表示体の内側面とガイドとの接触により、図柄表示体の図柄の裏側部分に擦傷が生じたり、図柄表示体の図柄の裏側部分が摩耗したりする。これにより、早期に図柄の視認性が悪くなる等の影響が出るという課題があった。
本発明は、表示図柄の歪みを無くして図柄の視認性を良くするとともに図柄表示体の寿命を長くした回胴表示装置を提供する。
【０００５】
【課題を解決するための手段】
本発明による回胴表示装置は、駆動輪と従動輪とに無端帯状の図柄表示体を巻き掛けて駆動輪を駆動させることにより図柄表示体を回転させる回胴表示装置において、前記図柄表示体の回転による移動をその表示側に対して内側から案内するガイド部材を備え、このガイド部材が図柄表示体に対して滑性を有する材料で形成されたものとしたので、ガイド部材が図柄表示体の内側面、即ち、図柄の裏側部分に接触しても、図柄の裏側部分の擦傷の発生や摩耗を抑止できるので、図柄表示体の寿命を長くでき、かつ、ローラガイドや回転リールに比べて表示図柄の歪みも少なく、図柄の視認性も良くなる。
また、ガイド部材が図柄表示体の内側面における幅方向両端側に対応して設けられたものとしたので、ガイド部材が図柄表示体の図柄の裏側部分に接触しなくなり、図柄の裏側部分の擦傷や摩耗が生じないので、図柄の見栄えが悪くならない。また、図柄表示体とガイド部材との摩擦を低減でき、図柄表示体の回転負荷を低減できるので、駆動輪の駆動手段として出力の小さいモータ等の駆動手段を使用することが可能となる。
また、駆動輪と従動輪とに無端帯状の図柄表示体を巻き掛けて駆動輪を駆動させることにより図柄表示体を回転させる回胴表示装置において、ガイド部材が図柄表示体の内側面における幅方向両端側に対応して設けられたものとしたので、ガイド部材が図柄表示体の図柄の裏側部分に接触しなくなり、図柄の裏側部分の擦傷や摩耗が生じないので、図柄の見栄えが悪くならない。
また、図柄表示体の内側面における幅方向両端側にはその回転方向に沿って複数設けられた凹部又は凸部による図柄表示体側係合部を、駆動輪にはその周方向に沿って複数設けられ上記図柄表示体側係合部に係合して駆動力を図柄表示体に伝達する駆動輪側係合部を備え、ガイド部材が図柄表示体側係合部に対応して設けられたものとしたので、図柄表示体側係合部としての凸部がガイド部材に接触するため、図柄表示体とガイド部材との摩擦をより低減でき、図柄表示体の回転負荷を低減できるので、駆動輪の駆動手段として出力の小さいモータ等を使用することが可能となる。また、ガイド部材が接触する図柄表示体側係合部の凸部の摩耗を少なくでき、図柄表示体側係合部と駆動輪側係合部との係合性能を長く維持できるので、図柄表示体の寿命をより長くできる。
また、ガイド部材で図柄表示体を内側面から表示側に向けて湾曲させて案内したので、図柄をリールのように見やすくできる。
また、ガイド部材を構成する滑性を有する材料は超高分子量ポリエチレンを含むことにより、ガイド部材は摩擦係数が低く摺動特性に優れた自己潤滑性および耐摩耗性および耐衝撃性をより有するものとなり、より図柄表示体の寿命が長く図柄の視認性の良い回胴表示装置を提供することができる。
【０００６】
【発明の実施の形態】
実施形態１．
図１から図７は本発明の実施形態を示す図であって、図１は回胴表示装置９１を構成する１組の図柄表示機構１を分解して示した図、図２は１組の図柄表示機構１の外観図、図３はガイド部材１２０付きのバックライト機構１００の縦断面図、図４はガイド部材１２０付きのバックライト機構１００の横断面図、図５はガイド部材１２０付きのバックライト機構１００を示す斜視図、図６はガイド部材１２０とバックライト機構１００とを分解して示した斜視図、図７は回胴表示装置９１の外観図である。
【０００７】
図１を参照し、図柄表示機構１について説明する。図柄表示機構１の図柄表示体２は、例えばウレタン系エラストマー（ウレタン系ゴム弾性体）または熱可塑性エラストマー（例えば、東レ・デュポン株式会社製の商品名ハイトレル（登録商標））またはポリカーボネート等の材料を主成分とした乳白色の透光性を有する帯状の両端を互いに接続したような形状の無端状に形成されたものである。図柄表示体２は、ウレタン系エラストマーまたは熱可塑性エラストマーまたはポリカーボネート等の材料を主成分とした帯状の両端を両面粘着材または溶剤系接着剤などの接着剤で互いに接続してもよいが、成形型で無端状に形成すれば、図柄表示体２の無端状の形状保持性能が高くなる。
【０００８】
図柄表示体２は、複数の種類の異なる図柄４を周方向に一定間隔または所定間隔に配置した状態で備える。図柄４がイソシアネート硬化による二液反応形の速乾性インキを用いた印刷でされれば、図柄表示体２との親和性もよく、図柄４の耐久性も向上する。図柄表示体２が透光性を有するので、図柄表示体２の内側面２ａの方向から図柄表示体２の２本の仮想線Ｌ１，Ｌ２で挟まれた図柄表示領域に投光して図柄４を照明表示することができる。
【０００９】
図柄表示体２の内側面２ａにおける図柄表示領域よりも外側に位置する両端部（周方向と直交する帯幅方向の両端の部分）には動力伝達部５を備える。動力伝達部５は凹部６と凸部７とが図柄表示体２の周方向に一定間隔で交互に連続したタイミングベルト状の形態である。凸部７は図柄表示体２の内側面２ａから図柄表示体２の径方向内側に突出し、凹部６は周方向に隣接する２つの凸部７の互いに向き合う斜面と当該２つの凸部７の間における図柄表示体２の内側面２ａとで形成される。動力伝達部５は、図柄表示体２と一緒に成形型で図柄表示体２の内側面２ａに形成すれば、図柄表示体２と動力伝達部５とが１つにまとまった単一体となり、それの一体性が増す。図柄表示体２の仮想線Ｌ１，Ｌ２で挟まれた図柄表示領域に図柄４を設け、図柄表示体２の図柄表示領域よりも外側に位置する両端部に動力伝達部５を設けたので、図柄４と動力伝達部５とが重なり合わないように領域分けされて配置されて、図柄４を表示する部分の厚さを一様とすることができ、図柄４の見栄えがよくなる。
【００１０】
駆動輪１１は、薄肉な円筒状の周壁の中央部を周方向に間欠的に中抜きされているとともに軸方向（帯幅方向）に両側に存在する円形帯状の端部１２，１２を中抜きによる残存した複数本のステー１３で互いに結合したかご形になっている。端部１２の外周面側には動力伝達部１４を有する。動力伝達部１４の凹部１５は端部１２の外周面から内部に窪み、凹部１５の軸方向外側は開放されている。動力伝達部１４の凸部１６は周方向に隣接する２つの凹部１５の互いに向き合う斜面と当該２つの凹部１５の間における端部１２の外周面とで形成される。複数のステー１３にはハブ１７が各端部１２，１２の間の中央よりも一方に片寄る位置で支持部材３により結合されている。ハブ１７の中心部には小判形の異形孔に形成されたモータ出力軸取付部１８を備える。
駆動輪１１の軸方向両端側、即ち、各端部１２，１２の外周面に、図柄表示体側係合部としての凹部６と係合する駆動輪側係合部としての複数の凸部１６を凹部１５を介して周方向に均等な間隔を隔てて設け、この互いに隣り合う凸部１６，１６間の間隔を互いに隣り合う凹部６，６間の間隔より広くした。即ち、複数の駆動輪側係合部としての各凸部１６を、均等な間隔を隔てて設けられた複数の図柄表示体側係合部としての各凹部６に対して間欠的に係合するように設けたので、駆動輪１１と図柄表示体２の凹凸係合数を少なくでき凹凸部間の係合摩擦を小さくできるので、モータの回転負荷を軽減でき、駆動輪１１を駆動するモータとして出力の小さいモータを使用できるようになる。
【００１１】
従動輪２１は、薄肉な円筒状の周壁の中央部を周方向に間欠的に中抜きされているとともに軸方向（帯幅方向）に両側に存在する円形帯状の端部２２，２２を中抜きによる残存した複数本のステー２３で互いに結合したかご形になっている。ただし、従動輪２１は、各端部２２，２２の外周面に図柄表示体側係合部としての凹部６および凸部７に係合する凸部および凹部を備えない構成とした。即ち、各端部２２の軸方向内側には大輪部２４を有し、この大輪部２４の軸方向外側には、この大輪部２４より若干小径で上記図柄表示体２の幅方向両側の内側面２ａに形成された図柄表示体側係合部が対応する小輪部２５を有し、従動輪２１の回転中心を中心とする真円形帯状の小輪部２５の外周面は平坦な円周面に形成されている。よって、駆動輪１１の駆動力により図柄表示体２が回転すると、図柄表示体２の内側面２ａと従動輪２１の大輪部２４の外周面との接触あるいは図柄表示体２の内側面２ａの凸部７と小輪部２５の外周面との接触により従動輪２１も回転するが、このとき、凹凸係合による係合摩擦が生じないので、モータの回転負荷を軽減でき、駆動輪１１を駆動するモータとして出力の小さいモータを使用できるようになる。尚、支持軸８２が装着される従動輪２１の軸受部２７はステー２３に連結された支持部材３Ｂで支持されている。
【００１２】
後述する回胴表示装置９１の前方には図柄表示体２の図柄４を視認可能とする図外のガラス等の透視性パネルが配置される。バックライト機構１００は、図２に示すように、駆動輪１１と従動輪２１とに巻き掛けられた図柄表示体２の内側面２ａ側でかつ駆動輪１１と従動輪２１との間に設けられ、図柄表示体２の内側面２ａ側から図柄４に光を投射するものである。これにより、遊技者は光で照らされた図柄４を透視性パネルを介して視認できる。バックライト機構１００は、図１〜図６に示すように、投射筒枠形成体１０１と、バックライト搭載基板１０２と、後述する機構本体７１への取付部１０３と、後述するガイド部材１２０が取付けられるガイド部材取付部１０４とを備える。投射筒枠形成体１０１には、図柄表示体２が停止したときに透視性パネルを介して視認することができるゲームに関係する上下３つの図柄４，…毎に対応する３つの投射筒枠１１０，１１１，１１２が形成されており、上下３つの図柄４，…毎にそれぞれ投射筒枠１１０，１１１，１１２を介して光を投射できるようになっている。投射筒枠形成体１０１の後側には、ランプ，ＬＥＤ等のバックライト１０５を搭載したバックライト搭載基板１０２が取付けられ、これにより、バックライト１０５の光が投射筒枠１１０，１１１，１１２を介して図柄表示体２に投射される。投射筒枠形成体１０１の前面の両端側には上下に延長する細長いガイド部材取付部１０４，１０４が形成されている。このガイド部材取付部１０４，１０４は前面１０６，１０６の上下中央部分が前側に飛び出て湾曲した弧状に形成されている。この弧状の前面１０６，１０６に図外のねじなどで細長い直線帯状のガイド部材１２０，１２０が取付けられ、このガイド部材１２０，１２０が図柄表示体２の幅方向両端の内側面に形成された図柄表示体側係合部の凸部７に接触して図柄表示体２を内側面２ａから回胴表示装置９１の前側に湾曲させる。ガイド部材１２０はガイド部材取付部１０４の前面１０６に沿って取付けられるように可撓性と靭性とを有するものを用いる。尚、ガイド部材取付部１０４，１０４の前面１０６，１０６には上下に複数の取付穴１２１が形成されており、この取付穴１２１に対応してガイド部材１２０にはねじ頭挿入穴１２２が形成されている。これにより、ねじの頭がねじ頭挿入穴１２２に入り込んでガイド部材１２０の表面１２３に突出しないように締結されてガイド部材１２０が回胴表示装置９１の前側に取付けられる。
【００１３】
ガイド部材１２０は、図柄表示体２に対して滑性を有する材料で形成されたものを用いる。本実施形態では超高分子量ポリエチレン（ｕｌｔｒａ  ｈｉｇｈ  ｍｏｌｅｃｕｌａｒ  ｗｅｉｇｈｔ  ｐｏｌｙｅｔｈｙｌｅｎｅ，略してＵＨＭＷ−ＰＥ、一般的には更に略して「ＵＰＥ」として知られているもの）を用いた。ガイド部材１２０には、本実施形態のＵＰＥに限らず、摩擦係数が低く摺動特性に優れた自己潤滑性および耐摩耗性および耐衝撃性を有する樹脂材料で形成されたものを用いれば効果的である。かかる樹脂材料としては、上記ＵＰＥのほか、デュポン社のテフロンＰＴＦＥ（テトラフルオロエチレン樹脂）、テフロンＦＥＰ（パーフロロエチレンプロピレン樹脂）、テフロンＰＡＦ（パーフロロアルコキシ樹脂）、デルリン（ポリアセタール樹脂（ＰＯＭ））、更には高分子量ポリエチレン（ＰＥ）等がある。尚、テフロン、デルリンはいずれも米国デュポン社の登録商標である。
【００１４】
以上によれば、ガイド部材１２０が図柄表示体２の図柄４の裏側部分に接触せず、図柄４の裏側部分の擦傷や摩耗が生じないので、図柄表示体２の寿命が長くなる。また、図柄４の見栄えが悪くならない。
また、図柄表示体２に対して滑性を有するガイド部材１２０でガイドしたので、図柄表示体２とガイド部材１２０との間に生ずる摩擦を低減でき、図柄表示体２の回転負荷を低減できるので、駆動輪１１を駆動するモータとして出力の小さいモータを使用することが可能となる。また、図柄表示体２の幅方向両端の内側に凹部６および凸部７による図柄表示体側係合部を形成し、図柄表示体側係合部としての凸部７のみがガイド部材１２０に接触するようにしたので、図柄表示体２とガイド部材１２０との摩擦を更に低減でき、更に図柄表示体２の回転負荷を低減できる。また、ガイド部材１２０が接触する図柄表示体側係合部の凸部７の摩耗を少なくでき、図柄表示体側係合部と駆動輪側係合部との係合性能を長く維持できるので、図柄表示体２の寿命を更に長くできる。
また、ガイド部材１２０により図柄表示体２を内側面２ａから前側即ち表示側に向けて凸状かつなめらかに湾曲させることにより、従来のローラガイドを使用したものや回転リール型の回胴表示装置よりも遊技者側から見た図柄の歪みを減少させることが可能となり、図柄４を見やすくできる。
また、図柄表示体２の内側面２ａの幅方向両端をガイド部材１２０でガイドしたので、図柄表示体２が駆動輪１１と従動輪２１との間で前後に振れたり、撓んだりすることを防止でき、図柄４を安定に表示させることが可能となる。
また、ガイド部材１２０が摩耗すれば、ガイド部材１２０のみを交換でき、バックライト機構１００をそのまま流用できるので、バックライト機構１００をリサイクルできる。
【００１５】
図１に戻り、ステップモータ３１はモータ軸３２，３３がモータボディ３４の軸方向両端に突出した両軸タイプになっている。一方のモータ軸３２は外周面が２つの平坦で平行な切欠面３２ａを有する異形であって、駆動輪１１のハブ１７から離れた端部１２の方向からモータ出力軸取付部１８に挿入されて一緒に回転するようにハブ１７に装着され、駆動輪１１が一方のモータ軸３２に一緒に回転するように結合される。
【００１６】
このように駆動輪１１と一方のモータ軸３２とが結合された場合、モータボディ３４の大半が駆動輪１１の内部に非接触な状態で取込まれる。モータボディ３４の端部に設けられたブラケット３７の側に突出した他方のモータ軸３３がモータ取付ピース４１に形成された逃孔４２に挿入され、ブラケット３７が逃孔４２周りのモータ取付ピース４１の外側面に接触し、ブラケット３７とモータ取付ピース４１とが図外の止ねじで互いに締結されることによって、モータボディ３４とモータ取付ピース４１とが互いに結合される。
【００１７】
他方のモータ軸３３は外周面に１つの平坦な切欠面を有する異形であって、他方のモータ軸３３は小径な歯車５１の中心に形成された半円形状の異形な取付孔５２に挿入されて、他方のモータ軸３３には小径な歯車５１が一緒に回転するように装着される。モータ取付ピース４１の逃孔４２周りに固定的に取付けられたシャフト４３には小径な歯車５１に噛み合わせられる大径な歯車６１が回転可能に装着され、大径な歯車６１よりも外側に突出したシャフト４３には図外の止輪が装着されて、大径な歯車６１がシャフト４３から抜け止めされる。
【００１８】
大径な歯車６１にはステップモータ３１の原点位置を検出するための被検出体６２が図外の止ねじで一緒に回転するように取付けられる。シャフト４３よりも下部に形成された切欠部４４周りのモータ取付ピース４１にはステップモータ３１の原点位置を検出するための検出器６３の設けられた基板６４が図外の止ねじで取付けられることによって、検出器６３が切欠部４４に非接触に配置される。検出器６３は他方のモータ軸３３の回転に伴い、小径な歯車５１と大径な歯車６１とを介して被検出体６２が検出器６３を非接触に通過するごとに、検出器６３がステップモータ３１の原点位置としての検出信号を図外の制御装置に出力する。
【００１９】
駆動輪１１、ステップモータ３１、小径な歯車５１、大径な歯車６１、シャフト４３、基板６４、検出器６３、被検出体６２が組み合わされたモータ取付ピース４１が縦長な土台としての板状の機構本体７１の上部に図外の止ねじで取付けられることによって、モータ取付ピース４１が機構本体７１の上部に形成された開口部７２を閉鎖する。モータ取付ピース４１には検出器６３から延設された配線を通すための配線孔７３が開口部７２の周囲に位置するように形成される。
【００２０】
従動輪２１の軸受部２７は従動輪取付ピース８１に固定的に設けられた支持軸８２に挿入され、軸受部２７から突出した支持軸８２の端部には図外の止輪が装着され、従動輪２１が支持軸８２から抜け止めされる。
従動輪取付ピース８１はシャフト８３と複数のスライダ８４とばね係留部８５とを備える。シャフト８３が機構本体７１の下部に従動輪２１の方向に膨出するように形成された従動輪取付部７４に形成された軸受部７５に回転可能に装着されるとともに、スライダ８４およびばね係留部８５が従動輪取付部７４に形成された複数の逃孔７６に個別に挿入された後、スライダ８４に止具８６が従動輪取付ピース８１の従動輪取付部７４に対する上下方向の移動を確保するように結合されることによって、従動輪２１を回転可能に支持した従動輪取付ピース８１と従動輪取付部７４とが互いに組み付けられる。
【００２１】
その状態において、従動輪取付ピース８１のばね係留部８５と従動輪取付部７４に設けられたばね係留部７７とにコイルスプリングのようなばね７８が掛け止められることによって、ばね７８が従動輪取付ピース８１を機構本体７１の上部に取付られた駆動輪１１との軸間隔を広げる方向に引っ張る。そして、図柄表示体２が駆動輪１１と従動輪２１とに巻き掛けられることによって、図柄表示機構１が図２に示すような組み立てられた形態となる。
【００２２】
尚、図柄表示体２を駆動輪１１と従動輪２１とに巻き掛ける前に、ガイド部材１２０が取付けられたバックライト機構１００を取付部１０３を介してねじ１３０等で機構本体７１に取付ける。１３１は機構本体７１に形成された取付穴、１３２はバックライト機構１００の取付部１０３に形成された取付穴であり、これら取付穴１３１，１３２を介してねじ１３０等によりバックライト機構１００を取付ける。即ち、ガイド部材１２０が取付けられたバックライト機構１００が、図柄表示機構１の機構本体７１に対してそれぞれ着脱可能となっている。
【００２３】
そして、ステップモータ３１が電力供給で回転駆動すると、図柄表示体２がばね７８のばね力によるテンションを受けつつ図柄表示体２の動力伝達部５と駆動輪１１の動力伝達部１４との噛み合わせにより適切に回転する。図１，図２において、機構本体７１は機構本体７１の下部から内側に折り曲げられた底壁７１ａ、底壁７１ａの前部から下方に折り曲げられた下機構取付部７１ｂ、機構本体７１の上部前側から内側に折り曲げられた延設部７１ｃ、延設部７１ｃの前部から上方に折り曲げられた上前機構取付部７１ｄ、機構本体７１の上部後側から内側に折り曲げられた上後機構取付部７１ｅ、機構本体７１の後部から内側に折り曲げられた補強部７１ｆを備える。底壁７１ａおよび補強部７１ｆが互いに結合されれば、機構本体７１の強度が一層高くなる。下機構取付部７１ｂには位置決め孔７１ｇおよび取付孔７１ｈを備え、上前機構取付部７１ｄには取付孔７１ｉを備える。
【００２４】
図７を参照し、図２のように組み立てられた図柄表示機構１を３個用いて構成された回胴表示装置９１について説明する。回胴表示装置９１は図柄表示機構１を収納し得る大きさの前方左右開放状の躯体９２を備える。躯体９２は上壁９３の後部に左右で相対峙する２本の切込９４を介して内側に向けて突出するように押し出された係合部９５、上壁９３の前部から上方に折り曲げられた上フランジ９６、底壁７１ａの前部から下方に折り曲げられた下フランジ９７を備える。
【００２５】
そして、図柄表示機構１が躯体９２の内部に挿入され、図柄表示機構１の下機構取付部７１ｂおよび上前機構取付部７１ｄが躯体９２の上フランジ９６および下フランジ９７の前側に配置され、下フランジ９７に設けられた突起９８と下機構取付部７１ｂの位置決め孔７１ｇとが互いに嵌め込まれ、機構本体７１の上後機構取付部７１ｅが躯体９２の上壁９３の内側面から一方の切込９４、係合部９５の上、他方の切込９４を順に経由して上壁９３の内側面に接触するように係合部９５に嵌め込まれる一方、下機構取付部７１ｂおよび上前機構取付部７１ｄを図外の止ねじで上フランジ９６および下フランジ９７に締結することによって、３個の図柄表示機構１が躯体９２に取付けられる。また、機構本体７１と対象形に形成された側壁９９が機構本体７１と同様に躯体９２に取付けられる。これによって、機構本体７１と躯体９２および側壁９９で囲まれた前方開放状の空間に３個の図柄表示機構１の図柄表示体２が配置された回胴表示装置９１となる。
【００２６】
実施形態２．
バックライト機構１００を設けない場合においては、図８に示すように、ガイド機構２００を機構本体７１にねじ２１０などで取付けて、ガイド部材１２０，１２０で図柄表示体２を内側面２ａの両端から前側に湾曲させてガイドしてもよい。ガイド機構２００は、機構本体７１に対する取付部２０１と、支持部２０２と、支持部２０２に設けられた実施形態１と同様なガイド部材取付部１０４、このガイド部材取付部１０４に取付けられる実施形態１と同様なガイド部材１２０とで構成される。
【００２７】
実施形態３．
また、バックライト機構１００を設けない場合においては、図９に示すように、図柄表示体２の内側面２ａの幅方向中央部に対応した帯状ガイド部材１２０Ａを設けて図柄表示体２を内側面２ａの幅方向中央部から前側に湾曲させてガイドするようにしてもよい。この場合のガイド機構２００Ａは、機構本体７１に対する取付部２０１と、支持部２０２と、支持部２０２に設けられたガイド部材取付部１０４Ａ、このガイド部材取付部１０４Ａに取付けられる帯状ガイド部材１２０Ａとで構成される。
また、図示しないが、帯状ガイド部材１２０Ａの代わりに、図柄表示体２に対して滑性を有する樹脂材料で形成された筒状ガイド部材を外周に取付けたローラ部材を用いてもよい。
実施形態３においても、図柄表示体２に対して滑性を有する樹脂材料で形成された帯状ガイド部材１２０Ａ又は筒状ガイド部材を備えるので、これらガイド部材が図柄表示体２の内側面２ａ、即ち、図柄４の裏側部分に接触しても、図柄４の裏側部分の擦傷の発生や摩耗を抑止でき、図柄４の見栄えが悪くならない。
【００２８】
尚、実施形態では、内側面２ａの両端にタイミングベルト状の連続凹凸部を設けた図柄表示体２を用いた場合を説明したが、本発明はスプロケットタイプにも適用できる。つまり、図柄表示体の幅方向の両端部（図柄表示領域外）にその回転方向に沿って所定の間隔を隔てて孔をあけ、駆動輪には上記孔間の間隔と同間隔で突起を設け、この突起を上記孔に係合させてモータの動力を図柄表示体に伝達することにより図柄表示体を回転駆動するスプロケットタイプに適用してもよい。この場合でも、ガイド部材１２０が図柄表示体２の図柄４の裏側部分に接触せず、図柄４の裏側部分の擦傷や摩耗が生じないので、図柄４の見栄えが悪くならず、また、図柄表示体２の内側面２ａにおける幅方向両端側のみをガイドするので、図柄表示体２とガイド部材１２０との摩擦を低減でき、図柄表示体２の回転負荷を低減できるので、駆動輪を駆動するモータとして出力の小さいモータを使用することが可能となる。
また、実施形態では、ガイド部材１２０で図柄表示体２を内側面２ａから前側に湾曲させてガイドしたが、駆動輪１１と従動輪２１との間において図柄表示体２が一直線になるように図柄表示体２の内側面２ａをガイドしてもよい。また、この場合、図柄表示体の幅方向の両端部（図柄表示領域外）の内側面２ａあるいは外側面あるいはこれら両方をガイドするガイド部材を設けてもよい。以上の場合でも、図柄表示体２が駆動輪１１と従動輪２１との間で前後に振れたり、撓んだりすることを防止でき、図柄４を安定に表示させることが可能となるという効果が得られる。特に、内側面２ａおよび外側面の両方をガイドするガイド部材を設けた場合に当該効果が顕著に得られる。
【図面の簡単な説明】
【図１】本発明の実施形態による回胴表示装置の図柄表示機構を示す分解斜視図。
【図２】図柄表示機構の外観図。
【図３】ガイド部材付きのバックライト機構の縦断面図。
【図４】ガイド部材付きのバックライト機構の横断面図。
【図５】ガイド部材付きのバックライト機構を示す斜視図。
【図６】ガイド部材とバックライト機構とを分解して示した斜視図。
【図７】回胴表示装置の外観図。
【図８】実施形態２のガイド機構を示す横断面図。
【図９】実施形態３のガイド機構を示す横断面図。
【符号の説明】
２  図柄表示体、２ａ  図柄表示体の内側面、６  凹部（図柄表示体側係合部）、７  凸部（図柄表示体側係合部）、１１  駆動輪、１５  凹部（駆動輪側係合部）、１６  凸部（駆動輪側係合部）、２１  従動輪、３１  ステップモータ、１００  バックライト機構、１２０  ガイド部材。
【図１】
2004173794.tif 000003
【図２】
2004173794.tif 000004
【図３】
2004173794.tif 000005
【図４】
2004173794.tif 000006
【図５】
2004173794.tif 000007
【図６】
2004173794.tif 000008
【図７】
2004173794.tif 000009
【図８】
2004173794.tif 000010
【図９】
2004173794.tif 000011